(57)【要約】  エンハンスト蒸気噴射蒸気噴射増エンタルピー空気調和システム（１００）は、順次に接続される蒸気噴射圧縮機（１）と、方向切り替えユニット（２）と、第１の室外熱交換器（３）と、第２の室外熱交換器（４）と、を含み、方向切り替えユニット（２）は四つの弁ポートを有し、第２の室外熱交換器（４）は、相互に熱交換する第１の熱交換流路（４１）及び第２の熱交換流路（４２）を含み、第１の熱交換流路（４１）の第１端（４１１）と第１の室外熱交換器（３）の第２端（３２）との間に主電子膨張弁ユニットが直列接続され、第１の熱交換流路（４１）の第２端（４１２）は室内機システムに接続され、第２の熱交換流路（４２）の出口（４２２）は蒸気噴射圧縮機（１）の噴射口（１１）に接続される。補助電子膨張弁ユニットをさらに含み、補前記助電子膨張弁ユニットの第１端（６１）が第２の熱交換流路（４２）の入口（４２１）に接続され、補助電子膨張弁ユニットの第２端（６２）が第１の熱交換流路（４１）の第２端（４１２）又は主電子膨張弁ユニットと第１の熱交換流路（４１）との間に接続される。主電子膨張弁ユニットの口径の合計と補助電子膨張弁ユニットの口径の合計との比は１≦ＤＢ≦７であり、又はその断面積の合計の比は１≦ＳＬ≦１６である。当該空気調和システムの暖房効果は良く、システムのエネルギー効率は高い。【選択図】    図１
2018516355.tif 000002
【特許請求の範囲】
【請求項１】
排気口と、吸気口と、噴射口と、を有する蒸気噴射圧縮機と、
第１の弁ポートから第４の弁ポートを有し、前記第１の弁ポートは第２の弁ポートと第３の弁ポートとのうちの一つに連通され、前記第４の弁ポートは前記第２の弁ポートと前記第３の弁ポートとのうちの他の一つに連通され、前記第１の弁ポートは前記排気口に接続され、前記第４の弁ポートは前記吸気口に接続される方向切り替えユニットと、
自身の第１端が前記第２の弁ポートに接続される第１の室外熱交換器と、
相互に熱交換する第１の熱交換流路及び第２の熱交換流路を含み、前記第１の熱交換流路の第１端と前記第１の室外熱交換器の第２端との間に主電子膨張弁ユニットが直列接続され、前記第１の熱交換流路の第２端は室内機システムに接続され、前記第２の熱交換流路の出口は前記噴射口に接続される第２の室外熱交換器と、
自身の第１端が前記第２の熱交換流路の入口に接続されていて、自身の第２端が前記第１の熱交換流路の第２端に接続される又は自身の第２端が前記主電子膨張弁ユニットと前記第１の熱交換流路との間に接続される補助電子膨張弁ユニットと、を含み、
前記主電子膨張弁ユニットの口径の合計と前記補助電子膨張弁ユニットの口径の合計との比であるＤＢの値の範囲は１≦ＤＢ≦７である、
ことを特徴とする蒸気噴射増エンタルピー空気調和システム。
【請求項２】
前記蒸気噴射増エンタルピー空気調和システムの定格冷凍量が３．６キロワットより小さい場合、前記ＤＢの値の範囲は１≦ＤＢ≦１．５であり、
前記蒸気噴射増エンタルピー空気調和システムの定格冷凍量が３．６キロワット〜５キロワットである場合、前記ＤＢの値の範囲は１≦ＤＢ≦２であり、
前記蒸気噴射増エンタルピー空気調和システムの定格冷凍量が５キロワット〜１２キロワットである場合、前記ＤＢの値の範囲は１．５≦ＤＢ≦２であり、
前記蒸気噴射増エンタルピー空気調和システムの定格冷凍量が１２キロワット〜１６キロワットである場合、前記ＤＢの値の範囲は１．５≦ＤＢ≦２．２であり、
前記蒸気噴射増エンタルピー空気調和システムの定格冷凍量が１６キロワット〜２０キロワットである場合、前記ＤＢの値の範囲は１．５≦ＤＢ≦２．５であり、
前記蒸気噴射増エンタルピー空気調和システムの定格冷凍量が２０キロワット〜２５キロワットである場合、前記ＤＢの値の範囲は１．５≦ＤＢ≦３であり、
前記蒸気噴射増エンタルピー空気調和システムの定格冷凍量が２５キロワット〜３３．５キロワットである場合、前記ＤＢの値の範囲は１．５≦ＤＢ≦３．５であり、
前記蒸気噴射増エンタルピー空気調和システムの定格冷凍量が３３．５キロワット〜４５キロワットである場合、前記ＤＢの値の範囲は１．５≦ＤＢ≦４であり、
前記蒸気噴射増エンタルピー空気調和システムの定格冷凍量が４５キロワット〜６７．５キロワットである場合、前記ＤＢの値の範囲は２≦ＤＢ≦４であり、
前記蒸気噴射増エンタルピー空気調和システムの定格冷凍量が６７．５キロワット〜７８キロワットである場合、前記ＤＢの値の範囲は２．２≦ＤＢ≦４であり、
前記蒸気噴射増エンタルピー空気調和システムの定格冷凍量が７８キロワット〜９０キロワットである場合、前記ＤＢの値の範囲は２．２≦ＤＢ≦４．５である、
ことを特徴とする請求項１に記載の蒸気噴射増エンタルピー空気調和システム。
【請求項３】
前記主電子膨張弁ユニットの断面積の合計と前記補助電子膨張弁ユニットの断面積の合計との比であるＳＬの値の範囲は１≦ＳＬ≦１６である、
ことを特徴とする請求項１又は２に記載の蒸気噴射増エンタルピー空気調和システム。
【請求項４】
前記蒸気噴射増エンタルピー空気調和システムの定格冷凍量が３．６キロワットより小さい場合、前記ＳＬの値の範囲は１≦ＳＬ≦１．５であり、
前記蒸気噴射増エンタルピー空気調和システムの定格冷凍量が３．６キロワット〜５キロワットである場合、前記ＳＬの値の範囲は１≦ＳＬ≦２であり、
前記蒸気噴射増エンタルピー空気調和システムの定格冷凍量が５キロワット〜１２キロワットである場合、前記ＳＬの値の範囲は１≦ＳＬ≦２．５であり、
前記蒸気噴射増エンタルピー空気調和システムの定格冷凍量が１２キロワット〜１６キロワットである場合、前記ＳＬの値の範囲は１≦ＳＬ≦３であり、
前記蒸気噴射増エンタルピー空気調和システムの定格冷凍量が１６キロワット〜２０キロワットである場合、前記ＳＬの値の範囲は１≦ＳＬ≦４であり、
前記蒸気噴射増エンタルピー空気調和システムの定格冷凍量が２０キロワット〜２５キロワットである場合、前記ＳＬの値の範囲は１≦ＳＬ≦５であり、
前記蒸気噴射増エンタルピー空気調和システムの定格冷凍量が２５キロワット〜３３．５キロワットである場合、前記ＳＬの値の範囲は１．５≦ＳＬ≦６であり、
前記蒸気噴射増エンタルピー空気調和システムの定格冷凍量が３３．５キロワット〜４５キロワットである場合、前記ＳＬの値の範囲は２≦ＳＬ≦８であり、
前記蒸気噴射増エンタルピー空気調和システムの定格冷凍量が４５キロワット〜６７．５キロワットである場合、前記ＳＬの値の範囲は３≦ＳＬ≦１５であり、
前記蒸気噴射増エンタルピー空気調和システムの定格冷凍量が６７．５キロワット〜７８キロワットである場合、前記ＳＬの値の範囲は３．５≦ＳＬ≦１６であり、
前記蒸気噴射増エンタルピー空気調和システムの定格冷凍量が７８キロワット〜９０キロワットである場合、前記ＳＬの値の範囲は４≦ＳＬ≦１６である、
ことを特徴とする請求項３に記載の蒸気噴射増エンタルピー空気調和システム。
【請求項５】
前記主電子膨張弁ユニットは、一つの主電子膨張弁又は並列接続されている複数の主電子膨張弁である、
ことを特徴とする請求項１〜４のいずれかに記載の蒸気噴射増エンタルピー空気調和システム。
【請求項６】
前記蒸気噴射増エンタルピー空気調和システムは気液分離器をさらに含み、前記気液分離器の入口は前記第４の弁ポートに接続され、前記気液分離器の蒸気出口は前記吸気口に接続される、
ことを特徴とする請求項１〜５のいずれかに記載の蒸気噴射増エンタルピー空気調和システム。
【請求項７】
前記第２の熱交換流路の出口は前記吸気口に接続され、前記第２の熱交換流路の出口と前記噴射口との間及び/又は前記第２の熱交換流路の出口と前記吸気口との間に閉止弁が直列接続されている、
ことを特徴とする請求項１〜６のいずれかに記載の蒸気噴射増エンタルピー空気調和システム。
【請求項８】
排気口と、吸気口と、噴射口と、を有する蒸気噴射圧縮機と、
第１の弁ポートから第４の弁ポートを有し、前記第１の弁ポートは第２の弁ポートと第３の弁ポートとのうちの一つに連通され、前記第４の弁ポートは前記第２の弁ポートと前記第３の弁ポートとのうちの他の一つに連通され、前記第１の弁ポートは前記排気口に接続され、前記第４の弁ポートは前記吸気口に接続される方向切り替えユニットと、
自身の第１端が前記第２の弁ポートに接続される第１の室外熱交換器と、
相互に熱交換する第１の熱交換流路及び第２の熱交換流路を含み、前記第１の熱交換流路の第１端と前記第１の室外熱交換器の第２端との間に主電子膨張弁ユニットが直列接続され、前記第１の熱交換流路の第２端は室内機システムに接続され、前記第２の熱交換流路の出口は前記噴射口に接続される第２の室外熱交換器と、
自身の第１端が前記第２の熱交換流路の入口に接続されていて、自身の第２端が前記第１の熱交換流路の第２端に接続される又は自身の第２端が前記主電子膨張弁ユニットと前記第１の熱交換流路との間に接続される補助電子膨張弁ユニットと、を含み、
前記主電子膨張弁ユニットの断面積の合計と前記補助電子膨張弁ユニットの断面積の合計との比であるＳＬの値の範囲は１≦ＳＬ≦１６である、
ことを特徴とする蒸気噴射増エンタルピー空気調和システム。
【請求項９】
前記蒸気噴射増エンタルピー空気調和システムの定格冷凍量が３．６キロワットより小さい場合、前記ＳＬの値の範囲は１≦ＳＬ≦１．５であり、
前記蒸気噴射増エンタルピー空気調和システムの定格冷凍量が３．６キロワット〜５キロワットである場合、前記ＳＬの値の範囲は１≦ＳＬ≦２であり、
前記蒸気噴射増エンタルピー空気調和システムの定格冷凍量が５キロワット〜１２キロワットである場合、前記ＳＬの値の範囲は１≦ＳＬ≦２．５であり、
前記蒸気噴射増エンタルピー空気調和システムの定格冷凍量が１２キロワット〜１６キロワットである場合、前記ＳＬの値の範囲は１≦ＳＬ≦３であり、
前記蒸気噴射増エンタルピー空気調和システムの定格冷凍量が１６キロワット〜２０キロワットである場合、前記ＳＬの値の範囲は１≦ＳＬ≦４であり、
前記蒸気噴射増エンタルピー空気調和システムの定格冷凍量が２０キロワット〜２５キロワットである場合、前記ＳＬの値の範囲は１≦ＳＬ≦５であり、
前記蒸気噴射増エンタルピー空気調和システムの定格冷凍量が２５キロワット〜３３．５キロワットである場合、前記ＳＬの値の範囲は１．５≦ＳＬ≦６であり、
前記蒸気噴射増エンタルピー空気調和システムの定格冷凍量が３３．５キロワット〜４５キロワットである場合、前記ＳＬの値の範囲は２≦ＳＬ≦８であり、
前記蒸気噴射増エンタルピー空気調和システムの定格冷凍量が４５キロワット〜６７．５キロワットである場合、前記ＳＬの値の範囲は３≦ＳＬ≦１５であり、
前記蒸気噴射増エンタルピー空気調和システムの定格冷凍量が６７．５キロワット〜７８キロワットである場合、前記ＳＬの値の範囲は３．５≦ＳＬ≦１６であり、
前記蒸気噴射増エンタルピー空気調和システムの定格冷凍量が７８キロワット〜９０キロワットである場合、前記ＳＬの値の範囲は４≦ＳＬ≦１６である、
ことを特徴とする請求項８に記載の蒸気噴射増エンタルピー空気調和システム。
【請求項１０】
前記主電子膨張弁ユニットは、一つの主電子膨張弁又は並列接続されている複数の主電子膨張弁である、
ことを特徴とする請求項８又は９に記載の蒸気噴射増エンタルピー空気調和システム。
【請求項１１】
前記蒸気噴射増エンタルピー空気調和システムは気液分離器をさらに含み、前記気液分離器の入口は前記第４の弁ポートに接続され、前記気液分離器の蒸気出口は前記吸気口に接続される、
ことを特徴とする請求項８〜１０のいずれかに記載の蒸気噴射増エンタルピー空気調和システム。
【請求項１２】
前記第２の熱交換流路の出口は前記吸気口に接続され、前記第２の熱交換流路の出口と前記噴射口との間及び/又は前記第２の熱交換流路の出口と前記吸気口との間に閉止弁が直列接続されている、
ことを特徴とする請求項８〜１１のいずれかに記載の蒸気噴射増エンタルピー空気調和システム。
【発明の詳細な説明】
【技術分野】
【０００１】
本発明は、蒸気圧縮式の冷凍空気調和機の分野に関し、特に、蒸気噴射増エンタルピー空気調和システムに関する。
【背景技術】
【０００２】
関連技術において、以下のようなことが指摘されている。空気調和システムは益々広く使用されてきており、且つ各種のオフィスや住宅などの場所に益々適用されることに伴って、人々の空気調和機の快適さに対する要求も益々高くなり、特に低い室外温度で暖房することによってもたらされた快適さを益々重要視してきている。しかしながら、空気調和技術が絶えずに進歩していても、大半の空気調和機が低温で暖房又は給湯時に、暖房効果が室外温度の低下に伴って大幅に低下する恐れが依然として避けられないため、室内温度が低め又は供給水の温度が低めになり、空気調和機の使用快適さが低減される。
【発明の概要】
【発明が解決しようとする課題】
【０００３】
本発明は、従来技術における少なくとも一つの技術的課題をある程度以上で解決することを目的とする。
【０００４】
これに鑑み、本発明は、暖房効果が良く、システムのエネルギー効率が高いという利点を有する一種の蒸気噴射増エンタルピー空気調和システムを提供する。
【０００５】
本発明は、暖房効果が良く、システムのエネルギー効率が高いという利点を有する他の一種の蒸気噴射増エンタルピー空気調和システムをさらに提供する。
【課題を解決するための手段】
【０００６】
本発明の第１側面の実施例に係る蒸気噴射増エンタルピー空気調和システムは、排気口と、吸気口と、噴射口と、を有する蒸気噴射圧縮機と、第１の弁ポートから第４の弁ポートを有し、前記第１の弁ポートは第２の弁ポートと第３の弁ポートとのうちの一つに連通され、前記第４の弁ポートは前記第２の弁ポートと前記第３の弁ポートとのうちの他の一つに連通され、前記第１の弁ポートは前記排気口に接続され、前記第４の弁ポートは前記吸気口に接続される方向切り替えユニットと、自身の第１端が前記第２の弁ポートに接続される第１の室外熱交換器と、相互に熱交換する第１の熱交換流路及び第２の熱交換流路を含み、前記第１の熱交換流路の第１端と前記第１の室外熱交換器の第２端との間に主電子膨張弁ユニットが直列接続され、前記第１の熱交換流路の第２端は室内機システムに接続され、前記第２の熱交換流路の出口は前記噴射口に接続される第２の室外熱交換器と、自身の第１端が前記第２の熱交換流路の入口に接続されていて、自身の第２端が前記第１の熱交換流路の第２端に接続される又は自身の第２端が前記主電子膨張弁ユニットと前記第１の熱交換流路との間に接続される補助電子膨張弁ユニットと、を含み、前記主電子膨張弁ユニットの口径の合計と前記補助電子膨張弁ユニットの口径の合計との比であるＤＢの値の範囲は１≦ＤＢ≦７である。
【０００７】
本発明の上記実施例に係る蒸気噴射増エンタルピー空気調和システムは、主電子膨張弁ユニットの口径の合計と補助電子膨張弁ユニットの口径の合計との比であるＤＢを合理的に設定することにより、暖房効果及びシステムのエネルギー効率を大幅に高め、システムの流量マッチングをさらに合理化することができるとともに、システムの大量の冷媒が過冷及び噴射に使用されるのを避け、噴射量の過大によるシステムのウォーターハンマーのリスクを避けることができ、ユーザの使用快適さを高めることができるだけでなく、システムの運転信頼性をも高めることができる。
【０００８】
本発明の一部の実施例によると、前記蒸気噴射増エンタルピー空気調和システムの定格冷凍量が３．６キロワットより小さい場合、前記ＤＢの値の範囲は１≦ＤＢ≦１．５であり、前記蒸気噴射増エンタルピー空気調和システムの定格冷凍量が３．６キロワット〜５キロワットである場合、前記ＤＢの値の範囲は１≦ＤＢ≦２であり、前記蒸気噴射増エンタルピー空気調和システムの定格冷凍量が５キロワット〜１２キロワットである場合、前記ＤＢの値の範囲は１．５≦ＤＢ≦２であり、前記蒸気噴射増エンタルピー空気調和システムの定格冷凍量が１２キロワット〜１６キロワットである場合、前記ＤＢの値の範囲は１．５≦ＤＢ≦２．２であり、前記蒸気噴射増エンタルピー空気調和システムの定格冷凍量が１６キロワット〜２０キロワットである場合、前記ＤＢの値の範囲は１．５≦ＤＢ≦２．５であり、前記蒸気噴射増エンタルピー空気調和システムの定格冷凍量が２０キロワット〜２５キロワットである場合、前記ＤＢの値の範囲は１．５≦ＤＢ≦３であり、前記蒸気噴射増エンタルピー空気調和システムの定格冷凍量が２５キロワット〜３３．５キロワットである場合、前記ＤＢの値の範囲は１．５≦ＤＢ≦３．５であり、前記蒸気噴射増エンタルピー空気調和システムの定格冷凍量が３３．５キロワット〜４５キロワットである場合、前記ＤＢの値の範囲は１．５≦ＤＢ≦４であり、前記蒸気噴射増エンタルピー空気調和システムの定格冷凍量が４５キロワット〜６７．５キロワットである場合、前記ＤＢの値の範囲は２≦ＤＢ≦４であり、前記蒸気噴射増エンタルピー空気調和システムの定格冷凍量が６７．５キロワット〜７８キロワットである場合、前記ＤＢの値の範囲は２．２≦ＤＢ≦４であり、前記蒸気噴射増エンタルピー空気調和システムの定格冷凍量が７８キロワット〜９０キロワットである場合、前記ＤＢの値の範囲は２．２≦ＤＢ≦４．５である。
【０００９】
本発明の一部の実施例によると、前記主電子膨張弁ユニットの断面積の合計と前記補助電子膨張弁ユニットの断面積の合計との比であるＳＬの値の範囲は１≦ＳＬ≦１６である。
【００１０】
本発明の一部の実施例において、前記蒸気噴射増エンタルピー空気調和システムの定格冷凍量が３．６キロワットより小さい場合、前記ＳＬの値の範囲は１≦ＳＬ≦１．５であり、前記蒸気噴射増エンタルピー空気調和システムの定格冷凍量が３．６キロワット〜５キロワットである場合、前記ＳＬの値の範囲は１≦ＳＬ≦２であり、前記蒸気噴射増エンタルピー空気調和システムの定格冷凍量が５キロワット〜１２キロワットである場合、前記ＳＬの値の範囲は１≦ＳＬ≦２．５であり、前記蒸気噴射増エンタルピー空気調和システムの定格冷凍量が１２キロワット〜１６キロワットである場合、前記ＳＬの値の範囲は１≦ＳＬ≦３であり、前記蒸気噴射増エンタルピー空気調和システムの定格冷凍量が１６キロワット〜２０キロワットである場合、前記ＳＬの値の範囲は１≦ＳＬ≦４であり、前記蒸気噴射増エンタルピー空気調和システムの定格冷凍量が２０キロワット〜２５キロワットである場合、前記ＳＬの値の範囲は１≦ＳＬ≦５であり、前記蒸気噴射増エンタルピー空気調和システムの定格冷凍量が２５キロワット〜３３．５キロワットである場合、前記ＳＬの値の範囲は１．５≦ＳＬ≦６であり、前記蒸気噴射増エンタルピー空気調和システムの定格冷凍量が３３．５キロワット〜４５キロワットである場合、前記ＳＬの値の範囲は２≦ＳＬ≦８であり、前記蒸気噴射増エンタルピー空気調和システムの定格冷凍量が４５キロワット〜６７．５キロワットである場合、前記ＳＬの値の範囲は３≦ＳＬ≦１５であり、前記蒸気噴射増エンタルピー空気調和システムの定格冷凍量が６７．５キロワット〜７８キロワットである場合、前記ＳＬの値の範囲は３．５≦ＳＬ≦１６であり、前記蒸気噴射増エンタルピー空気調和システムの定格冷凍量が７８キロワット〜９０キロワットである場合、前記ＳＬの値の範囲は４≦ＳＬ≦１６である。
【００１１】
本発明の一部の実施例によると、前記主電子膨張弁ユニットは、一つの主電子膨張弁又は並列接続されている複数の主電子膨張弁である。
【００１２】
本発明の一部の実施例によると、蒸気噴射増エンタルピー空気調和システムは気液分離器をさらに含み、前記気液分離器の入口は前記第４の弁ポートに接続され、前記気液分離器の蒸気出口は前記吸気口に接続される。
【００１３】
本発明の一部の実施例によると、前記第２の熱交換流路の出口は前記吸気口に接続され、前記第２の熱交換流路の出口と前記噴射口との間及び/又は前記第２の熱交換流路の出口と前記吸気口との間に閉止弁が直列接続されている。
【００１４】
本発明の第２の側面の実施例に係る蒸気噴射増エンタルピー空気調和システムは、排気口と、吸気口と、噴射口と、を有する蒸気噴射圧縮機と、第１の弁ポートから第４の弁ポートを有し、前記第１の弁ポートは第２の弁ポートと第３の弁ポートとのうちの一つに連通され、前記第４の弁ポートは前記第２の弁ポートと前記第３の弁ポートとのうちの他の一つに連通され、前記第１の弁ポートは前記排気口に接続され、前記第４の弁ポートは前記吸気口に接続される方向切り替えユニットと、自身の第１端が前記第２の弁ポートに接続される第１の室外熱交換器と、相互に熱交換する第１の熱交換流路及び第２の熱交換流路を含み、前記第１の熱交換流路の第１端と前記第１の室外熱交換器の第２端との間に主電子膨張弁ユニットが直列接続され、前記第１の熱交換流路の第２端は室内機システムに接続され、前記第２の熱交換流路の出口は前記噴射口に接続される第２の室外熱交換器と、自身の第１端が前記第２の熱交換流路の入口に接続されていて、自身の第２端が前記第１の熱交換流路の第２端に接続される又は自身の第２端が前記主電子膨張弁ユニットと前記第１の熱交換流路との間に接続される補助電子膨張弁ユニットと、を含み、前記主電子膨張弁ユニットの断面積の合計と前記補助電子膨張弁ユニットの断面積の合計との比であるＳＬの値の範囲は１≦ＳＬ≦１６である。
【００１５】
本発明の実施例に係る蒸気噴射増エンタルピー空気調和システムは、電子膨張弁ユニットの断面積の合計と補助電子膨張弁ユニットの断面積の合計との比であるＳＬを合理的に設定することにより、暖房効果及びシステムのエネルギー効率を大幅に高め、システムの流量マッチングをさらに合理化することができるとともに、システムの大量の冷媒が過冷及び噴射に使用されるのを避け、噴射量の過大によるシステムのウォーターハンマーのリスクを避けることができ、ユーザの使用快適さを高めることが出来るだけでなく、システムの運転信頼性をも高めることができる。
【００１６】
本発明の一部の実施例によると、前記蒸気噴射増エンタルピー空気調和システムの定格冷凍量が３．６キロワットより小さい場合、前記ＳＬの値の範囲は１≦ＳＬ≦１．５であり、前記蒸気噴射増エンタルピー空気調和システムの定格冷凍量が３．６キロワット〜５キロワットである場合、前記ＳＬの値の範囲は１≦ＳＬ≦２であり、前記蒸気噴射増エンタルピー空気調和システムの定格冷凍量が５キロワット〜１２キロワットである場合、前記ＳＬの値の範囲は１≦ＳＬ≦２．５であり、前記蒸気噴射増エンタルピー空気調和システムの定格冷凍量が１２キロワット〜１６キロワットである場合、前記ＳＬの値の範囲は１≦ＳＬ≦３であり、前記蒸気噴射増エンタルピー空気調和システムの定格冷凍量が１６キロワット〜２０キロワットである場合、前記ＳＬの値の範囲は１≦ＳＬ≦４であり、前記蒸気噴射増エンタルピー空気調和システムの定格冷凍量が２０キロワット〜２５キロワットである場合、前記ＳＬの値の範囲は１≦ＳＬ≦５であり、前記蒸気噴射増エンタルピー空気調和システムの定格冷凍量が２５キロワット〜３３．５キロワットである場合、前記ＳＬの値の範囲は１．５≦ＳＬ≦６であり、前記蒸気噴射増エンタルピー空気調和システムの定格冷凍量が３３．５キロワット〜４５キロワットである場合、前記ＳＬの値の範囲は２≦ＳＬ≦８であり、前記蒸気噴射増エンタルピー空気調和システムの定格冷凍量が４５キロワット〜６７．５キロワットである場合、前記ＳＬの値の範囲は３≦ＳＬ≦１５であり、前記蒸気噴射増エンタルピー空気調和システムの定格冷凍量が６７．５キロワット〜７８キロワットである場合、前記ＳＬの値の範囲は３．５≦ＳＬ≦１６であり、前記蒸気噴射増エンタルピー空気調和システムの定格冷凍量が７８キロワット〜９０キロワットである場合、前記ＳＬの値の範囲は４≦ＳＬ≦１６である。
【００１７】
本発明の一部の実施例において、前記主電子膨張弁ユニットは、一つの主電子膨張弁又は並列接続されている複数の主電子膨張弁である。
【００１８】
本発明の一部の実施例において、蒸気噴射増エンタルピー空気調和システムは気液分離器をさらに含み、前記気液分離器の入口は前記第４の弁ポートに接続され、前記気液分離器の蒸気出口は前記吸気口に接続される。
【００１９】
本発明の一部の実施例において、前記第２の熱交換流路の出口は前記吸気口に接続され、前記第２の熱交換流路の出口と前記噴射口との間及び/又は前記第２の熱交換流路の出口と前記吸気口との間に閉止弁が直列接続されている。
【００２０】
本発明の付加的な特徴及び利点は、一部が以下の説明に示され、一部が下記の説明により明らかになり、又は本発明の実践により理解される。
【図面の簡単な説明】
【００２１】
【図１】本発明の実施例に係る蒸気噴射増エンタルピー空気調和システムの構成概略図である。
【発明を実施するための形態】
【００２２】
以下に、本発明の実施例を詳しく説明する。前記実施例の例が図面に示されている。以下に図面を参照して説明される実施例は例示的なものであり、本発明を解釈するために用いられるものであり、本発明を限定するものと理解してはいけない。
【００２３】
以下に、図１を参照して本発明の第１の側面の実施例に係る蒸気噴射増エンタルピー空気調和システム（ｅｎｈａｎｃｅｄ  ｖａｐｏｒ  ｉｎｊｅｃｔｉｏｎ  ａｉｒ  ｃｏｎｄｉｔｉｏｎｉｎｇ  ｓｙｓｔｅｍ）１００を詳しく説明する。蒸気噴射増エンタルピー空気調和システム１００は、室外機と室内機とからなり、室内機は一つ又は複数であってもよい。
【００２４】
図１に示すように、本発明の実施例に係る蒸気噴射増エンタルピー空気調和システム１００は、蒸気噴射圧縮機１と、方向切り替えユニット２と、第１の室外熱交換器３と、第２の室外熱交換器４と、補助電子膨張弁ユニットと、を含む。
【００２５】
具体的には、蒸気噴射圧縮機１は、排気口１３と、吸気口１２と、噴射口１１とを有する。方向切り替えユニット２は、第１の弁ポート２１から第４の弁ポート２４を有し、第１の弁ポート２１は、第２の弁ポート２２と第３の弁ポート２３とのうちの一つに連通され、第４の弁ポート２４は、第２の弁ポート２２と第３の弁ポート２３とのうちの他の一つに連通され、第１の弁ポート２１は排気口１３に接続され、第４の弁ポート２４は吸気口１２に接続される。方向切り替えユニット２は四方弁であってもよい。なお、方向切り替えユニット２は他の構造であってもよく、方向切り替えを実現できればよい。
【００２６】
蒸気噴射増エンタルピー空気調和システム１００が冷房運転する場合、第１の弁ポート２１は第２の弁ポート２２に連通され、第３の弁ポート２３は第４の弁ポート２４に連通される。蒸気噴射増エンタルピー空気調和システム１００が暖房運転する場合、第１の弁ポート２１は第３の弁ポート２３に連通され、第２の弁ポート２２は第４の弁ポート２４に連通される。
【００２７】
第１の室外熱交換器の第１端３１は第２の弁ポート２２に接続され、第２の室外熱交換器４は、相互に熱交換する第１の熱交換流路４１及び第２の熱交換流路４２を含み、第１の熱交換流路の第１端４１１と第１の室外熱交換器の第２端３２との間に主電子膨張弁ユニット（例えば、図１に示す主電子膨張弁５）が直列接続され、第１の熱交換流路の第２端４１２は室内機システムに接続され、第２の熱交換流路の出口４２２は噴射口１１に接続される。これにより、低温で暖房運転する場合、第２の熱交換流路の出口４２２の蒸発された冷媒を蒸気噴射圧縮機１の噴射口１１の中に噴射することができ、これによりシステムの低温暖房量を増加させる。
【００２８】
補助電子膨張弁ユニットの第１端（例えば、図１に示す補助電子膨張弁の第１端６１）は第２の熱交換流路の入口４２１に接続されていて、補助電子膨張弁ユニットの第２端（例えば、図１に示す補助電子膨張弁の第２端６２）は第１の熱交換流路の第２端４１２に接続される又は補助電子膨張弁ユニットの第２端は主電子膨張弁ユニットと第１の熱交換流路４１との間に接続される。
【００２９】
補助電子膨張弁ユニットの第２端（例えば、図１に示す補助電子膨張弁の第２端６２）が第１の熱交換流路の第２端４１２に接続されている場合、蒸気噴射増エンタルピー空気調和システム１００が冷房運転する時に、主電子膨張弁ユニット（例えば、図１に示す主電子膨張弁５）を通過して流量が絞られ、圧力が低減された冷媒は、第１の熱交換流路４１に流入する。第１の熱交換流路４１から排出され、且つ補助電子膨張弁ユニットを通過して流量が絞られ、圧力が低減された冷媒は、第２の熱交換流路４２に流入する。従って、第１の熱交換流路４１と第２の熱交換流路４２との間に温度差が存在するため、第１の熱交換流路４１と第２の熱交換流路４２との間で熱交換する。
【００３０】
補助電子膨張弁ユニットの第２端が第１の熱交換流路の第２端４１２に接続されている場合、蒸気噴射増エンタルピー空気調和システム１００が暖房運転する時に、室内機から流出した冷媒の一部は、補助電子膨張弁ユニットを通過して流量が絞られ、圧力が低減された後に第２の熱交換流路４２に流入し、室内機から流出した冷媒のもう一部は、第１の熱交換流路４１に直接流入する。従って、第１の熱交換流路４１と第２の熱交換流路４２との間に温度差が存在するため、第１の熱交換流路４１と第２の熱交換流路４２との間で熱交換する。第１の熱交換流路４１から排出された冷媒は、主電子膨張弁ユニットを通過して流量が絞られ、圧力が低減された後に、第１の室外熱交換器３に排出される。
【００３１】
補助電子膨張弁ユニットの第２端が主電子膨張弁ユニットと第１の熱交換流路４１との間に接続されている場合、蒸気噴射増エンタルピー空気調和システム１００が冷房運転する時に、主電子膨張弁ユニットを通過して流量が絞られ、圧力が低減された冷媒の一部は、第１の熱交換流路４１に流入し、主電子膨張弁ユニットを通過して流量が絞られ、圧力が低減された冷媒のもう一部は、改めて補助電子膨張弁ユニットを通過して流量が絞られ、圧力が低減された後、第２の熱交換流路４２内に流入する。従って、第１の熱交換流路４１と第２の熱交換流路４２との間に温度差が存在するため、第１の熱交換流路４１と第２の熱交換流路４２との間で熱交換する。
【００３２】
補助電子膨張弁ユニットの第２端が主電子膨張弁ユニットと第１の熱交換流路４１との間に接続されている場合、蒸気噴射増エンタルピー空気調和システム１００が暖房運転する時に、室内機から流出した冷媒は、第１の熱交換流路４１に流入する。第１の熱交換流路４１から排出された冷媒の一部は、補助電子膨張弁ユニットを通過して流量が絞られ、圧力が低減された後、第２の熱交換流路４２内に流入する。従って、第１の熱交換流路４１と第２の熱交換流路４２との間に温度差が存在するため、第１の熱交換流路４１と第２の熱交換流路４２との間で熱交換する。第１の熱交換流路４１から排出された冷媒のもう一部は、主電子膨張弁ユニットを通過して流量が絞られ、圧力が低減された後、第１の室外熱交換器３に排出される。
【００３３】
これから分かるように、補助電子膨張弁ユニットを設けることにより、第１の熱交換流路４１と第２の熱交換流路４２との間に温度差が存在し、熱交換する。
【００３４】
そのうち、主電子膨張弁ユニットの口径の合計と補助電子膨張弁ユニットの口径の合計との比であるＤＢの値の範囲は１≦ＤＢ≦７である。なお、口径とは、電子膨張弁の弁体の半径を指す。主電子膨張弁ユニットが複数の主電子膨張弁を含む場合、主電子膨張弁ユニットの口径の合計とは、複数の主電子膨張弁５の口径の合計を指す。補助電子膨張弁ユニットが複数の補助電子膨張弁を含む場合、補助電子膨張弁ユニットの口径の合計とは、複数の補助電子膨張弁６の口径の合計を指す。これにより、主電子膨張弁ユニットの口径の合計と補助電子膨張弁ユニットの口径の合計との比であるＤＢを合理的に設定することにより、システムの流量配分を合理化する。
【００３５】
本発明の実施例に係る蒸気噴射増エンタルピー空気調和システム１００は、主電子膨張弁ユニットの口径の合計と補助電子膨張弁ユニットの口径の合計との比であるＤＢを合理的に設定することにより、暖房効果及びシステムのエネルギー効率を大幅に高め、システムの流量マッチングをさらに合理化することができるとともに、システムの大量の冷媒が過冷及び噴射に使用されるのを避け、噴射量の過大によるシステムのウォーターハンマーのリスクを避けることができ、ユーザの使用快適さを高めることが出来るだけでなく、システムの運転信頼性をも高めることができる。
【００３６】
本発明の一部の実施例において、蒸気噴射増エンタルピー空気調和システム１００の定格冷凍量が３．６キロワットより小さい場合、ＤＢの値の範囲は１≦ＤＢ≦１．５であり、蒸気噴射増エンタルピー空気調和システム１００の定格冷凍量が３．６キロワット〜５キロワットである場合、ＤＢの値の範囲は１≦ＤＢ≦２であり、蒸気噴射増エンタルピー空気調和システム１００の定格冷凍量が５キロワット〜１２キロワットである場合、ＤＢの値の範囲は１．５≦ＤＢ≦２であり、蒸気噴射増エンタルピー空気調和システム１００の定格冷凍量が１２キロワット〜１６キロワットである場合、ＤＢの値の範囲は１．５≦ＤＢ≦２．２であり、蒸気噴射増エンタルピー空気調和システム１００の定格冷凍量が１６キロワット〜２０キロワットである場合、ＤＢの値の範囲は１．５≦ＤＢ≦２．５であり、蒸気噴射増エンタルピー空気調和システム１００の定格冷凍量が２０キロワット〜２５キロワットである場合、ＤＢの値の範囲は１．５≦ＤＢ≦３であり、蒸気噴射増エンタルピー空気調和システム１００の定格冷凍量が２５キロワット〜３３．５キロワットである場合、ＤＢの値の範囲は１．５≦ＤＢ≦３．５であり、蒸気噴射増エンタルピー空気調和システム１００の定格冷凍量が３３．５キロワット〜４５キロワットである場合、ＤＢの値の範囲は１．５≦ＤＢ≦４であり、蒸気噴射増エンタルピー空気調和システム１００の定格冷凍量が４５キロワット〜６７．５キロワットである場合、ＤＢの値の範囲は２≦ＤＢ≦４であり、蒸気噴射増エンタルピー空気調和システム１００の定格冷凍量が６７．５キロワット〜７８キロワットである場合、ＤＢの値の範囲は２．２≦ＤＢ≦４であり、蒸気噴射増エンタルピー空気調和システム１００の定格冷凍量が７８キロワット〜９０キロワットである場合、ＤＢの値の範囲は２．２≦ＤＢ≦４．５である。
【００３７】
これにより、蒸気噴射増エンタルピー空気調和システム１００の特定の数値範囲における冷凍量が適正なＤＢ値に対応するのを保証することができ、システムの大量の冷媒が過冷及び噴射に使用されるのを防止し、システムの冷媒循環量が少なめになることによって暖房効果が悪くなって、システムのエネルギー効率が低くなること、又は噴射量の過大によるシステムのウォーターハンマーのリスクを避けることができ、システムの暖房効果及びシステムのエネルギー効率を高める。
【００３８】
本発明の一部の実施例において、主電子膨張弁ユニットの断面積の合計と補助電子膨張弁ユニットの断面積の合計との比であるＳＬの値の範囲は１≦ＳＬ≦１６である。これにより、主電子膨張弁ユニットの断面積の合計と補助電子膨張弁ユニットの口断面積の合計との比であるＳＬを合理的に設定することにより、暖房効果及びシステムのエネルギー効率をより大幅に高める目的を実現する。なお、断面積とは、電子膨張弁の弁体の断面積を指す。主電子膨張弁ユニットが複数の主電子膨張弁を含む場合、主電子膨張弁ユニットの口断面積の合計とは、複数の主電子膨張弁５の断面積の合計を指す。補助電子膨張弁ユニットが複数の補助電子膨張弁を含む場合、補助電子膨張弁ユニットの断面積の合計とは、複数の補助電子膨張弁６の断面積の合計を指す。
【００３９】
具体的には、蒸気噴射増エンタルピー空気調和システム１００の定格冷凍量が３．６キロワットより小さい場合、ＳＬの値の範囲は１≦ＳＬ≦１．５であり、蒸気噴射増エンタルピー空気調和システム１００の定格冷凍量が３．６キロワット〜５キロワットである場合、ＳＬの値の範囲は１≦ＳＬ≦２であり、蒸気噴射増エンタルピー空気調和システム１００の定格冷凍量が５キロワット〜１２キロワットである場合、ＳＬの値の範囲は１≦ＳＬ≦２．５であり、蒸気噴射増エンタルピー空気調和システム１００の定格冷凍量が１２キロワット〜１６キロワットである場合、ＳＬの値の範囲は１≦ＳＬ≦３であり、蒸気噴射増エンタルピー空気調和システム１００の定格冷凍量が１６キロワット〜２０キロワットである場合、ＳＬの値の範囲は１≦ＳＬ≦４であり、蒸気噴射増エンタルピー空気調和システム１００の定格冷凍量が２０キロワット〜２５キロワットである場合、ＳＬの値の範囲は１≦ＳＬ≦５であり、蒸気噴射増エンタルピー空気調和システム１００の定格冷凍量が２５キロワット〜３３．５キロワットである場合、ＳＬの値の範囲は１．５≦ＳＬ≦６であり、蒸気噴射増エンタルピー空気調和システム１００の定格冷凍量が３３．５キロワット〜４５キロワットである場合、ＳＬの値の範囲は２≦ＳＬ≦８であり、蒸気噴射増エンタルピー空気調和システム１００の定格冷凍量が４５キロワット〜６７．５キロワットである場合、ＳＬの値の範囲は３≦ＳＬ≦１５であり、蒸気噴射増エンタルピー空気調和システム１００の定格冷凍量が６７．５キロワット〜７８キロワットである場合、ＳＬの値の範囲は３．５≦ＳＬ≦１６であり、蒸気噴射増エンタルピー空気調和システム１００の定格冷凍量が７８キロワット〜９０キロワットである場合、ＳＬの値の範囲は４≦ＳＬ≦１６である。
【００４０】
これにより、蒸気噴射増エンタルピー空気調和システム１００の特定の数値範囲における冷凍量が適正なＳＬ値に対応するのを保証することができ、システムの大量の冷媒が過冷及び噴射に使用されるのを一層防止し、システムの冷媒循環量が少なめになることによって暖房効果が悪くなって、システムのエネルギー効率が低くなること、又は噴射量の過大によるシステムのウォーターハンマーのリスクを避けることができ、システムの暖房効果及びシステムのエネルギー効率をさらに高める。
【００４１】
本発明の一部の実施例において、主電子膨張弁ユニットは、一つの主電子膨張弁５又は並列接続されている複数の主電子膨張弁５である。例えば、図１に示すように、主電子膨張弁ユニットは、一つの主電子膨張弁５である。これにより、空気調和システムの全体を便利に制御することができ、その口径又は断面積を調節するだけで、主電子膨張弁ユニットの流量調節を実現することができる。主電子膨張弁ユニットが並列接続されている複数の主電子膨張弁５である場合、主電子膨張弁ユニットの調節の多様性を増やすことができる。例えば、そのうち一つ、二つ又は複数の主電子膨張弁５を調節することにより、主電子膨張弁ユニットの流量調節を実現することができるとともに、並列接続されている複数の主電子膨張弁５のうち一つ又は複数を閉にし、その他を開にして使用することができる。使用中の主電子膨張弁５が詰まった場合に、閉状態であるその他の主電子膨張弁５を開にしてシステムの正常運転を実現することができる。
【００４２】
本発明の一部の実施例において、第２の熱交換流路の出口４２２は吸気口１２に接続され、第２の熱交換流路の出口４２２と噴射口１１との間及び/又は第２の熱交換流路の出口４２２と吸気口１２との間に閉止弁（図示せず）が直列接続されている。言い換えると、第２の熱交換流路４２は、噴射口１１及び吸気口１２に接続されていて、且つ閉止弁は、第２の熱交換流路４２と噴射口１１との間に設けられてもよいし、第２の熱交換流路４２と吸気口１２との間に設けられてもよいし、さらに、同時に第２の熱交換流路４２と噴射口１１との間、及び第２の熱交換流路４２と吸気口１２との間に設けられてもよい。なお、閉止弁の役割は、管路にある媒体を連通させる又は切断させることである。これにより、需要に応じて第２の熱交換流路４２と噴射口１１との間、及び/又は第２の熱交換流路４２と吸気口１２との間の冷媒の連通及び切断を制御することができる。例えば、第２の熱交換流路の出口４２２と吸気口１２との方だけを連通させた場合、過冷の役割を果たすことができる。
【００４３】
図１を参照すると、蒸気噴射増エンタルピー空気調和システム１００は気液分離器７をさらに含み、気液分離器７の入口は第４の弁ポート２４に接続され、気液分離器７の蒸気出口は吸気口１２に接続される。気液分離器７は、気液を分離させる役割を果たすことができ、蒸気の冷媒だけが蒸気噴射圧縮機１に戻れるのが保証され、蒸気噴射圧縮機１のウォーターハンマーショック現象の発生がさらに回避される。
【００４４】
以下に、図１を参照して本発明の第２の側面の実施例に係る蒸気噴射増エンタルピー空気調和システム１００を説明する。蒸気噴射増エンタルピー空気調和システム１００は、室外機と室内機とからなり、室内機は一つ又は複数であってもよい。
【００４５】
図１に示すように、本発明の実施例に係る蒸気噴射増エンタルピー空気調和システム１００は、蒸気噴射圧縮機１と、方向切り替えユニット２と、第１の室外交換器３と、第２の室外交換器４と、補助電子膨張弁ユニットと、を含む。
【００４６】
具体的には、蒸気噴射圧縮機１は、排気口１３と、吸気口１２と、噴射口１１とを有する。方向切り替えユニット２は、第１の弁ポート２１から第４の弁ポート２４を有し、第１の弁ポート２１は、第２の弁ポート２２と第３の弁ポート２３とのうちの一つに連通され、第４の弁ポート２４は、第２の弁ポート２２と第３の弁ポート２３とのうちの他の一つに連通され、第１の弁ポート２１は排気口１３に接続され、第４の弁ポート２４は吸気口１２に接続される。方向切り替えユニット２は四方弁であってもよい。なお、方向切り替えユニット２は他の構造であってもよく、方向切り替えを実現できればよい。
【００４７】
蒸気噴射増エンタルピー空気調和システム１００が冷房運転する場合、第１の弁ポート２１は第２の弁ポート２２に連通され、第３の弁ポート２３は第４の弁ポート２４に連通される。蒸気噴射増エンタルピー空気調和システム１００が暖房運転する場合、第１の弁ポート２１は第３の弁ポート２３に連通され、第２の弁ポート２２は第４の弁ポート２４に連通される。
【００４８】
第１の室外熱交換器の第１端３１は第２の弁ポート２２に接続され、第２の室外熱交換器４は、相互に熱交換する第１の熱交換流路４１及び第２の熱交換流路４２を含み、第１の熱交換流路の第１端４１１と第１の室外熱交換器の第２端３２との間に主電子膨張弁ユニットが直列接続され、第１の熱交換流路の第２端４１２は室内機システムに接続され、第２の熱交換流路の出口４２２は噴射口１１に接続される。これにより、低温で暖房運転する場合、第２の熱交換流路の出口４２２の蒸発された冷媒を蒸気噴射圧縮機１の噴射口１１の中に噴射することができ、システムの低温暖房量を増加させる。
【００４９】
補助電子膨張弁ユニットの第１端（例えば、図１に示す補助電子膨張弁の第１端６１）は第２の熱交換流路の入口４２１に接続されていて、補助電子膨張弁ユニットの第２端（例えば、図１に示す補助電子膨張弁の第２端６２）は第１の熱交換流路の第２端４１２に接続される又は補助電子膨張弁ユニットの第２端は主電子膨張弁ユニットと第１の熱交換流路４１との間に接続される。
【００５０】
補助電子膨張弁ユニットの第２端が第１の熱交換流路の第２端４１２に接続されている場合、蒸気噴射増エンタルピー空気調和システム１００が冷房運転する時に、主電子膨張弁ユニットを通過して流量が絞られ、圧力が低減された冷媒は、第１の熱交換流路４１に流入する。第１の熱交換流路４１から排出され、且つ補助電子膨張弁ユニットを通過して流量が絞られ、圧力が低減された冷媒は、第２の熱交換流路４２に流入する。従って、第１の熱交換流路４１と第２の熱交換流路４２との間に温度差が存在するため、第１の熱交換流路４１と第２の熱交換流路４２との間で熱交換する。
【００５１】
補助電子膨張弁ユニットの第２端が第１の熱交換流路の第２端４１２に接続されている場合、蒸気噴射増エンタルピー空気調和システム１００が暖房運転する時に、室内機から流出した冷媒の一部は、補助電子膨張弁ユニットを通過して流量が絞られ、圧力が低減された後に第２の熱交換流路４２に流入し、室内機から流出した冷媒のもう一部は、第１の熱交換流路４１に直接流入する。従って、第１の熱交換流路４１と第２の熱交換流路４２との間に温度差が存在するため、第１の熱交換流路４１と第２の熱交換流路４２との間で熱交換する。第１の熱交換流路４１から排出された冷媒は、主電子膨張弁ユニットを通過して流量が絞られ、圧力が低減された後、第１の室外熱交換器３に排出される。
【００５２】
補助電子膨張弁ユニットの第２端が主電子膨張弁ユニットと第１の熱交換流路４１との間に接続されている場合、蒸気噴射増エンタルピー空気調和システム１００が冷房運転する時に、主電子膨張弁ユニットを通過して流量が絞られ、圧力が低減された冷媒の一部は、第１の熱交換流路４１に流入し、主電子膨張弁ユニットを通過して流量が絞られ、圧力が低減された冷媒のもう一部は、改めて補助電子膨張弁ユニットを通過して流量が絞られ、圧力が低減された後、第２の熱交換流路４２内に流入する。従って、第１の熱交換流路４１と第２の熱交換流路４２との間に温度差が存在するため、第１の熱交換流路４１と第２の熱交換流路４２との間で熱交換する。
【００５３】
補助電子膨張弁ユニットの第２端が主電子膨張弁ユニットと第１の熱交換流路４１との間に接続されている場合、蒸気噴射増エンタルピー空気調和システム１００が暖房運転する時に、室内機から流出した冷媒は、第１の熱交換流路４１に流入する。第１の熱交換流路４１から排出された冷媒の一部は、補助電子膨張弁ユニットを通過して流量が絞られ、圧力が低減された後、第２の熱交換流路４２内に流入する。従って、第１の熱交換流路４１と第２の熱交換流路４２との間に温度差が存在するため、第１の熱交換流路４１と第２の熱交換流路４２との間で熱交換する。第１の熱交換流路４１から排出された冷媒のもう一部は、主電子膨張弁ユニットを通過して流量が絞られ、圧力が低減された後、第１の室外熱交換器３に排出される。
【００５４】
これから分かるように、補助電子膨張弁ユニットを設けることにより、第１の熱交換流路４１と第２の熱交換流路４２との間に温度差が存在し、熱交換する。
【００５５】
そのうち、主電子膨張弁ユニットの断面積の合計と補助電子膨張弁ユニットの断面積の合計との比であるＳＬの値の範囲は１≦ＳＬ≦１６である。なお、断面積とは、電子膨張弁の弁体の断面積を指す。主電子膨張弁ユニットが複数の主電子膨張弁を含む場合、主電子膨張弁ユニットの断面積の合計とは、複数の主電子膨張弁５の断面積の合計を指す。補助電子膨張弁ユニットが複数の補助電子膨張弁を含む場合、補助電子膨張弁ユニットの断面積の合計とは、複数の補助電子膨張弁６の断面積の合計を指す。これにより、主電子膨張弁ユニットの断面積の合計と補助電子膨張弁ユニットの断面積の合計との比であるＳＬを合理的に設定することにより、システムの流量配分を合理化し、暖房効果及びシステムのエネルギー効率を大幅に高める効果を達成する。
【００５６】
本発明の実施例に係る蒸気噴射増エンタルピー空気調和システム１００は、電子膨張弁ユニットの断面積の合計と補助電子膨張弁ユニットの断面積の合計との比であるＳＬを合理的に設定することにより、暖房効果及びシステムのエネルギー効率を大幅に高め、システムの流量マッチングをさらに合理化することができるとともに、システムの大量の冷媒が過冷及び噴射に使用されるのを避け、噴射量の過大によるシステムのウォーターハンマーのリスクを避けることができ、ユーザの使用快適さを高めることが出来るだけでなく、システムの運転信頼性をも高めることができる。
【００５７】
本発明の一部の実施例において、蒸気噴射増エンタルピー空気調和システム１００の定格冷凍量が３．６キロワットより小さい場合、ＳＬの値の範囲は１≦ＳＬ≦１．５であり、蒸気噴射増エンタルピー空気調和システム１００の定格冷凍量が３．６キロワット〜５キロワットである場合、ＳＬの値の範囲は１≦ＳＬ≦２であり、蒸気噴射増エンタルピー空気調和システム１００の定格冷凍量が５キロワット〜１２キロワットである場合、ＳＬの値の範囲は１≦ＳＬ≦２．５であり、蒸気噴射増エンタルピー空気調和システム１００の定格冷凍量が１２キロワット〜１６キロワットである場合、ＳＬの値の範囲は１≦ＳＬ≦３であり、蒸気噴射増エンタルピー空気調和システム１００の定格冷凍量が１６キロワット〜２０キロワットである場合、ＳＬの値の範囲は１≦ＳＬ≦４であり、蒸気噴射増エンタルピー空気調和システム１００の定格冷凍量が２０キロワット〜２５キロワットである場合、ＳＬの値の範囲は１≦ＳＬ≦５であり、蒸気噴射増エンタルピー空気調和システム１００の定格冷凍量が２５キロワット〜３３．５キロワットである場合、ＳＬの値の範囲は１．５≦ＳＬ≦６であり、蒸気噴射増エンタルピー空気調和システム１００の定格冷凍量が３３．５キロワット〜４５キロワットである場合、ＳＬの値の範囲は２≦ＳＬ≦８であり、蒸気噴射増エンタルピー空気調和システム１００の定格冷凍量が４５キロワット〜６７．５キロワットである場合、ＳＬの値の範囲は３≦ＳＬ≦１５であり、蒸気噴射増エンタルピー空気調和システム１００の定格冷凍量が６７．５キロワット〜７８キロワットである場合、ＳＬの値の範囲は３．５≦ＳＬ≦１６であり、蒸気噴射増エンタルピー空気調和システム１００の定格冷凍量が７８キロワット〜９０キロワットである場合、ＳＬの値の範囲は４≦ＳＬ≦１６である。
【００５８】
これにより、蒸気噴射増エンタルピー空気調和システム１００の特定の数値範囲における冷凍量が適正なＳＬ値に対応するのを保証することができ、システムの大量の冷媒が過冷及び噴射に使用されるのを防止し、システムの冷媒循環量が少なめになることによって暖房効果が悪くなって、システムのエネルギー効率が低くなること、又は噴射量の過大によるシステムのウォーターハンマーのリスクを避けることができ、システムの暖房効果及びシステムのエネルギー効率を高める。
【００５９】
本発明の一部の実施例において、主電子膨張弁ユニットは、一つの主電子膨張弁５又は並列接続されている複数の主電子膨張弁５である。例えば、図１に示す例では、主電子膨張弁ユニットは、一つの主電子膨張弁５である。これにより、空気調和システムの全体を便利に制御することができ、その口径又は断面積を調節するだけで、主電子膨張弁ユニットの流量調節を実現することができる。主電子膨張弁ユニットが並列接続されている複数の主電子膨張弁５である場合、主電子膨張弁ユニットの調節の多様性を増やすことができる。例えば、そのうち一つ、二つ又は複数の主電子膨張弁５を調節することにより、主電子膨張弁ユニットの流量を実現することができるとともに、並列接続されている複数の主電子膨張弁５のうち一つ又は複数を閉にし、その他を開にして使用することができる。使用中の主電子膨張弁５が詰まった場合に、閉状態であるその他の主電子膨張弁５を開にしてシステムの正常運転を実現することができる。
【００６０】
本発明の一部の実施例において、第２の熱交換流路の出口４２２は吸気口１２に接続され、第２の熱交換流路の出口４２２と噴射口１１との間及び/又は第２の熱交換流路の出口４２２と吸気口１２との間に閉止弁が直列接続されている。言い換えると、第２の熱交換流路４２は、噴射口１１及び吸気口１２に接続されていて、且つ閉止弁は、第２の熱交換流路４２と噴射口１１との間に設けられてもよいし、第２の熱交換流路４２と吸気口１２との間に設けられてもよいし、さらに、同時に第２の熱交換流路４２と噴射口１１との間、及び第２の熱交換流路４２と吸気口１２との間に設けられてもよい。なお、閉止弁の役割は、管路にある媒体を連通させる又は切断させることである。これにより、需要に応じて第２の熱交換流路４２と噴射口１１との間及び/又は第２の熱交換流路４２と吸気口１２との間の冷媒の連通及び切断を制御することができる。例えば、第２の熱交換流路の出口４２２と吸気口１２との方だけを連通させた場合、過冷の役割を果たすことができる。
【００６１】
本発明の一部の実施例において、図１を参照すると、蒸気噴射増エンタルピー空気調和システム１００は気液分離器７をさらに含み、気液分離器７の入口は第４の弁ポート２４に接続され、気液分離器７の蒸気出口は吸気口１２に接続される。気液分離器７は、気液を分離させる役割を果たすことができ、蒸気の冷媒だけが蒸気噴射圧縮機１に戻れるのが保証され、蒸気噴射圧縮機１のウォーターハンマーショック現象の発生がさらに回避される。
【００６２】
以下に、図１を参照して本発明の一つの具体的な実施例に係る蒸気噴射増エンタルピー空気調和システム１００を簡単に説明する。以下の説明は、例示的なものに過ぎなく、本発明を解釈するためのものであり、本発明を限定するものと理解してはいけない。
【００６３】
図１に示すように、本発明の実施例に係る蒸気噴射増エンタルピー空気調和システム１００は、蒸気噴射圧縮機１と、方向切り替えユニット２と、第１の室外熱交換器３と、第２の室外熱交換器４と、一つの主電子膨張弁５と、一つの補助電子膨張弁６と、気液分離器７と、を含む。
【００６４】
具体的には、蒸気噴射圧縮機１は、排気口１３と、吸気口１２と、噴射口１１とを有する。方向切り替えユニット２は、第１の弁ポート２１と、第２の弁ポート２２と、第３の弁ポート２３と、第４の弁ポート２４とを有し、第１の弁ポート２１は第２の弁ポート２２と第３の弁ポート２３とのうちの一つに連通され、第４の弁ポート２４は第２の弁ポート２２と第３の弁ポート２３とのうちの他の一つに連通される。第２の室外熱交換器４は、第１の熱交換流路４１と第２の熱交換流路４２とを有し、第２の熱交換流路４２は、入口４２１と出口４２２とを有する。
【００６５】
蒸気噴射増エンタルピー空気調和システム１００において、第１の室外熱交換器の第１端３１は第２の弁ポート２２に接続され、第１の室外熱交換器の第２端３２は主電子膨張弁の第１端５１に接続され、主電子膨張弁の第２端５２は第１の熱交換流路の第１端４１１に接続され、第１の熱交換流路の第２端４１２は室内機に接続される。第２の熱交換流路の出口４２２は蒸気噴射圧縮機１の噴射口１１に接続され、第２の熱交換流路の入口４２１は補助電子膨張弁の第１端６１に接続され、補助電子膨張弁の第２端６２は第１の熱交換流路の第２端４１２に接続される。第１の弁ポート２１は排気口１３に接続され、第４の弁ポート２４は吸気口１２に接続され、且つ第４の弁ポート２４と吸気口１２との流路に気液分離器７が設けられている。
【００６６】
蒸気噴射増エンタルピー空気調和システム１００の運転中に、主電子膨張弁５及び補助電子膨張弁６の口径又は断面積を調節することにより、システムの流路における冷媒の流量を調節することができ、システムの暖房効果及びシステムのエネルギー効率を高め、ユーザの快適さを高める。
【００６７】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「反時計回り」、「軸方向」、「径方向」、「周方向」などの用語が示す方位又は位置関係は、図面に示す方位又は位置関係に基づき、本発明を便利に又は簡潔に説明するために使用されるものであり、示された装置又は部品が特定の方位にあり、特定の方位において構造され操作されると示す又は暗示するものではないので、本発明を限定するものと理解してはいけない。
【００６８】
また、「第１」、「第２」の用語は目的を説明するためだけに用いられるものであり、相対的な重要性を示す又は暗示するか、或いは示された技術的特徴の数を黙示的に示すものと理解してはいけない。そこで、「第１」、「第２」が限定されている特徴は少なくとも一つの当該特徴を含むことを明示又は暗示するものである。本発明の説明において、明確且つ具体的な限定がない限り、「複数」とは、少くとも二つ、例えば、二つ、三つなどを意味する。
【００６９】
本発明の説明において、明確な規定及び限定がない限り、「取り付け」、「互いに接続」、「接続」、「固定」の用語の意味は広く理解されるべきである。例えば、固定接続や、着脱可能な接続や、或いは一体的な接続でも可能である。機械的な接続や、電気的な接続や、或いは互いに通信することも可能である。直接的に接続することや、中間媒体を介して間接的に接続することや、二つの部品の内部が連通することや、或いは二つの部品の間に相互の作用関係があることも可能である。明確な限定がない限り、当業者にとって、具体的な場合に応じて上記用語の本発明における具体的な意味を理解することができる。
【００７０】
本発明において、明確な規定及び限定がない限り、第１特徴が第２特徴の「上」又は「下」にあることは、第１特徴と第２特徴とが直接的に接触することを含んでも良いし、第１特徴と第２特徴とが直接的に接触することではなくそれらの間に別の媒体を介して接触することを含んでもよい。また、第１特徴が第２特徴の「上」、「上方」又は「上面」にあることは、第１特徴が第２特徴の真上及び斜め上にあることを含むか、或いは単に第１特徴の水平高さが第２特徴より高いことだけを表す。第１特徴が第２特徴の「下」、「下方」又は「下面」にあることは、第１特徴が第２特徴の真下及び斜め下にあることを含むか、或いは単に第１特徴の水平高さが第２特徴より低いことだけを表す。
【００７１】
本発明の説明において、「一つの実施例」、「一部の実施例」、「例」、「具体的な例」、或いは「一部の例」などの用語を参考した説明とは、当該実施例或いは例に合わせて説明された具体的な特徴、構成、材料或いは特徴が、本発明の少なくとも一つの実施例或いは例に含まれることである。本明細書において、上記用語に対する例示的な説明は、必ずしも同じ実施例或いは例を示すことではない。また、説明された具体的な特徴、構成、材料或いは特徴は、いずれか一つ或いは複数の実施例又は例において適切に結合することができる。なお、互いに矛盾しない場合、当業者は本明細書で説明された異なる実施例或いは例、及び異なる実施例或いは例の特徴を結合および組合せすることができる。
【００７２】
以上、本発明の実施例を示して説明したが、なお、上記実施例は例示的なものであり、本発明を限定するものと理解してはいけなく、普通の当業者は、本発明の範囲内で、上記実施例に対して変化、修正、取り替え及び変形を行うことができる。
【符号の説明】
【００７３】
１００    蒸気噴射増エンタルピー空気調和システム
１        蒸気噴射圧縮機
１１      噴射口
１２      吸気口
１３      排気口
２        方向切り替えユニット
２１      第１の弁ポート
２２      第２の弁ポート
２３      第３の弁ポート
２４      第４の弁ポート
３        第１の室外熱交換器
３１      第１の室外熱交換器の第１端
３２      第１の室外熱交換器の第２端
４        第２の室外熱交換器
４１      第１の熱交換流路
４１１    第１の熱交換流路の第１端
４１２    第１の熱交換流路の第２端
４２      第２の熱交換流路
４２１    第２の熱交換流路の入口
４２２    第２の熱交換流路の出口
５        主電子膨張弁
５１      主電子膨張弁の第１端
５２      主電子膨張弁の第２端
６        補助電子膨張弁
６１      補助電子膨張弁の第１端
６２      補助電子膨張弁の第２端
７        気液分離器
【図１】
2018516355.tif 000003
【手続補正書】
【提出日】平成29年11月28日(2017.11.28)
【手続補正１】
【補正対象書類名】明細書
【補正対象項目名】００１５
【補正方法】変更
【補正の内容】
【００１５】
本発明の実施例に係る蒸気噴射増エンタルピー空気調和システムは、主電子膨張弁ユニットの断面積の合計と補助電子膨張弁ユニットの断面積の合計との比であるＳＬを合理的に設定することにより、暖房効果及びシステムのエネルギー効率を大幅に高め、システムの流量マッチングをさらに合理化することができるとともに、システムの大量の冷媒が過冷及び噴射に使用されるのを避け、噴射量の過大によるシステムのウォーターハンマーのリスクを避けることができ、ユーザの使用快適さを高めることが出来るだけでなく、システムの運転信頼性をも高めることができる。
【手続補正２】
【補正対象書類名】明細書
【補正対象項目名】００４１
【補正方法】変更
【補正の内容】
【００４１】
本発明の一部の実施例において、主電子膨張弁ユニットは、一つの主電子膨張弁５又は並列接続されている複数の主電子膨張弁５である。例えば、図１に示すように、主電子膨張弁ユニットは、一つの主電子膨張弁５である。これにより、蒸気噴射増エンタルピー空気調和システム１００の全体を便利に制御することができ、その口径又は断面積を調節するだけで、主電子膨張弁ユニットの流量調節を実現することができる。主電子膨張弁ユニットが並列接続されている複数の主電子膨張弁５である場合、主電子膨張弁ユニットの調節の多様性を増やすことができる。例えば、そのうち一つ、二つ又は複数の主電子膨張弁５を調節することにより、主電子膨張弁ユニットの流量調節を実現することができるとともに、並列接続されている複数の主電子膨張弁５のうち一つ又は複数を閉にし、その他を開にして使用することができる。使用中の主電子膨張弁５が詰まった場合に、閉状態であるその他の主電子膨張弁５を開にしてシステムの正常運転を実現することができる。
【手続補正３】
【補正対象書類名】明細書
【補正対象項目名】００５６
【補正方法】変更
【補正の内容】
【００５６】
本発明の実施例に係る蒸気噴射増エンタルピー空気調和システム１００は、主電子膨張弁ユニットの断面積の合計と補助電子膨張弁ユニットの断面積の合計との比であるＳＬを合理的に設定することにより、暖房効果及びシステムのエネルギー効率を大幅に高め、システムの流量マッチングをさらに合理化することができるとともに、システムの大量の冷媒が過冷及び噴射に使用されるのを避け、噴射量の過大によるシステムのウォーターハンマーのリスクを避けることができ、ユーザの使用快適さを高めることが出来るだけでなく、システムの運転信頼性をも高めることができる。
【手続補正４】
【補正対象書類名】明細書
【補正対象項目名】００５９
【補正方法】変更
【補正の内容】
【００５９】
本発明の一部の実施例において、主電子膨張弁ユニットは、一つの主電子膨張弁５又は並列接続されている複数の主電子膨張弁５である。例えば、図１に示す例では、主電子膨張弁ユニットは、一つの主電子膨張弁５である。これにより、蒸気噴射増エンタルピー空気調和システム１００の全体を便利に制御することができ、その口径又は断面積を調節するだけで、主電子膨張弁ユニットの流量調節を実現することができる。主電子膨張弁ユニットが並列接続されている複数の主電子膨張弁５である場合、主電子膨張弁ユニットの調節の多様性を増やすことができる。例えば、そのうち一つ、二つ又は複数の主電子膨張弁５を調節することにより、主電子膨張弁ユニットの流量調節を実現することができるとともに、並列接続されている複数の主電子膨張弁５のうち一つ又は複数を閉にし、その他を開にして使用することができる。使用中の主電子膨張弁５が詰まった場合に、閉状態であるその他の主電子膨張弁５を開にしてシステムの正常運転を実現することができる。
【国際調査報告】
2018516355.tif 000004
2018516355.tif 000005
2018516355.tif 000006
2018516355.tif 000007
2018516355.tif 000008
2018516355.tif 000009